(57)【要約】【課題】テレビ電話のメモリ容量、価格を上げることなく、十分なＡＶ留守録機能を実現することを目的とする。【解決手段】テレビ電話２（１０４）の留守録モード時にテレビ電話１（２０１）からのコネクション要求があった場合に、テレビ電話２（１０４）がテレビ電話１（１０１）からのコネクション要求をＡＶ留守録サーバ１９０に転送し、ＡＶ留守録サーバ１９０がテレビ電話１（２０１）との間にコネクションを設定し、ＡＶ留守録サーバ１９０はテレビ電話２（１０４）宛の伝言メッセージをテレビ電話１（２０１）から受信・蓄積し、再生する場合は、ＡＶ留守録サーバ１９０が、蓄積している伝言メッセージをテレビ電話２（１０４）に送信する。【選択図】        図１
2004228893.tif 000002
【特許請求の範囲】
【請求項１】
第１の電話装置により生成された映像データと音声データとを含む第２の電話装置宛の伝言メッセージを受信する伝言メッセージ受信部と、
前記伝言メッセージ受信部により受信された第２の電話装置宛の伝言メッセージを記憶する伝言メッセージ記憶部と、
前記伝言メッセージ記憶部に記憶された第２の電話装置宛の伝言メッセージを第２の電話装置に対して送信する伝言メッセージ送信部とを有することを特徴とするサーバ装置。
【請求項２】
前記サーバ装置は、更に、
第１の電話装置から第２の電話装置に対して発信されたコネクション要求を第２の電話装置による転送処理により第２の電話装置から受信するコネクション要求受信部と、
第１の電話装置からのコネクション要求に基づき第１の電話装置との間にコネクションを設定するコネクション設定部とを有し、
前記伝言メッセージ受信部は、
第１の電話装置とのコネクションの設定の後に、第１の電話装置から第２の電話装置宛の伝言メッセージを受信することを特徴とする請求項１に記載のサーバ装置。
【請求項３】
前記伝言メッセージ受信部は、
第１の電話装置から第２の電話装置に対して送信された第２の電話装置宛の伝言メッセージを第２の電話装置による転送処理により第２の電話装置より受信することを特徴とする請求項１に記載のサーバ装置。
【請求項４】
サーバ装置に接続され、
他の電話装置により生成された映像データと音声データとを含む自装置宛の伝言メッセージを前記サーバ装置に記憶させ、前記サーバ装置に記憶させた自装置宛の伝言メッセージを前記サーバ装置より受信することを特徴とする電話装置。
【請求項５】
前記電話装置は、
他の電話装置からコネクション要求を受信した場合に、受信したコネクション要求を前記サーバ装置に転送し、他の電話装置と前記サーバ装置との間にコネクションを設定させ、前記サーバ装置に自装置宛の伝言メッセージを他の電話装置から受信させて前記サーバ装置に自装置宛の伝言メッセージを記憶させることを特徴とする請求項４に記載の電話装置。
【請求項６】
前記電話装置は、
他の電話装置からコネクション要求を受信した場合に、他の電話装置との間にコネクションを設定するとともに自装置宛の伝言メッセージを前記サーバ装置に送信するよう指示する指示メッセージを他の電話装置に送信し、指示メッセージに基づき他の電話装置から送信された自装置宛の伝言メッセージを前記サーバ装置に受信させて前記サーバ装置に自装置宛の伝言メッセージを記憶させることを特徴とする請求項４に記載の電話装置。
【請求項７】
前記電話装置は、
他の電話装置からコネクション要求を受信した場合に、他の電話装置との間にコネクションを設定するとともに他の電話装置から自装置宛の伝言メッセージを受信し、受信した自装置宛の伝言メッセージを前記サーバ装置に転送し、転送した自装置宛の伝言メッセージを前記サーバ装置に受信させて前記サーバ装置に自装置宛の伝言メッセージを記憶させることを特徴とする請求項４に記載の電話装置。
【請求項８】
第１の電話装置により生成された映像データと音声データとを含む第２の電話装置宛の伝言メッセージを受信する伝言メッセージ受信ステップと、
前記伝言メッセージ受信ステップにより受信された第２の電話装置宛の伝言メッセージを記憶する伝言メッセージ記憶ステップと、
前記伝言メッセージ記憶ステップに記憶された第２の電話装置宛の伝言メッセージを第２の電話装置に対して送信する伝言メッセージ送信ステップとを有することを特徴とするメッセージ管理方法。
【発明の詳細な説明】
【０００１】
【発明の属する技術分野】
この発明は、テレビ電話のコストを上げることなく、十分なＡＶ留守録機能を実現する為のシステムに関するものである。
【０００２】
【従来の技術】
従来のテレビ電話におけるＡＶ留守録においては、例えば特開平７−１５７０６号公報に示すようにテレビ電話装置本体にＡＶ留守録用のメモリを実装していた。
【０００３】
【特許文献１】
特開平７−１５７０６号公報（第６頁、第１図）
【０００４】
【発明が解決しようとする課題】
上記のように、従来のテレビ電話では、ＡＶ留守録機能を装置本体に個別に実装していた為、実装メモリの制約を直に受けていた。そのため、記録可能件数又は、記録可能時間を重視すれば、実装メモリ容量を増加させる必要があり、製品コストがアップしてしまう。逆に製品コストを重視すれば、実装メモリの容量に制限が加えられ、十分な件数及び記録時間を確保することができなかった。
【０００５】
この発明は、上記のような課題を解決するためになされたものであり、テレビ電話の価格を上げることなく、十分なＡＶ留守録機能を実現することを目的とするものである。
【０００６】
【課題を解決するための手段】
本発明に係るサーバ装置は、
第１の電話装置により生成された映像データと音声データとを含む第２の電話装置宛の伝言メッセージを受信する伝言メッセージ受信部と、
前記伝言メッセージ受信部により受信された第２の電話装置宛の伝言メッセージを記憶する伝言メッセージ記憶部と、
前記伝言メッセージ記憶部に記憶された第２の電話装置宛の伝言メッセージを第２の電話装置に対して送信する伝言メッセージ送信部とを有することを特徴とする。
【０００７】
【発明の実施の形態】
実施の形態１．
図１は、本実施の形態に係るＡＶ留守録システムの全体構成例を示す図である。
図１において、テレビ電話１（１０１）はテレビ電話２（１０４）に対して発信する電話であり、第１の電話装置の例である。
テレビ電話２（１０４）はテレビ電話１（１０１）からの着信を受ける電話であり、第２の電話装置の例である。テレビ電話２（１０４）には、回線制御部１０２及びＡＶ留守録制御部１０３が備えられている。
ＡＶ留守録サーバ１９０は、テレビ電話１（１０１）により生成されたテレビ電話２（１０４）宛の伝言メッセージを記憶・管理し、所定の場合に伝言メッセージをテレビ電話２（１０４）に送信する。
【０００８】
ＡＶ留守録サーバ１９０には、回線制御部１０５、システム制御部１０６、多重分離部１０７、ＣＯＤＥＣ部１０８、データ管理部１０９、ＡＶメッセージ記録メモリ１１０、応答メッセージ格納メモリ１１１が備わっている。
回線制御部１０５は、テレビ電話１（１０１）及びテレビ電話２（１０４）との通信を行い、伝言メッセージ受信部、伝言メッセージ送信部、コネクション要求受信部に相当する。
システム制御部１０６は、ＡＶ留守録サーバ１９０の内の制御を行い、テレビ電話１（１０１）とのコネクション設定の処理を行う。システム制御部１０６は、コネクション設定部に相当する。
多重分離部１０７は、テレビ電話１（１０１）から伝言メッセージを受信した際に伝言メッセージに含まれる映像データと音声データとを分離し、また、テレビ電話２（１０４）に伝言メッセージを送信する際に、映像データと音声データを多重する。
ＣＯＤＥＣ部１０８は、データの符号化、複号化を行う。
データ管理部１０９は、ＡＶメッセージ記録メモリ１１０、応答メッセージ格納メモリ１１１のメモリ管理を行う。
ＡＶメッセージ記録メモリ１１０は、テレビ電話１（１０１）から送信されたテレビ電話２（１０４）宛の伝言メッセージを記憶する。ＡＶメッセージ記録メモリ１１０は、伝言メッセージ記憶部に相当する。
応答メッセージ格納メモリ１１１は、テレビ電話１（１０１）からの発信に応答するための応答メッセージを格納している。
ＡＶメッセージ記録メモリ１１０及び応答メッセージ格納メモリ１１１は、テレビ電話ごとに個別に管理されている。
【０００９】
次に、動作について説明する。
図１においてテレビ電話２（１０４）を使用しているユーザがマンマシンＩ／Ｆよりテレビ電話２（１０４）を留守録モードに設定するとテレビ電話２（１０４）内のＡＶ留守録制御部１０３がその要求を受信し、回線制御部１０２に対して着信呼の転送を行う状態に遷移するよう指示する。
【００１０】
本状態でテレビ電話１（１０１）よりテレビ電話２（１０４）に対してコネクション要求が発信されると、コネクション要求は、経路１１２を経てネットワーク１１５に要求され、ネットワーク１１５は接続先がテレビ電話２（１０４）であることを認識し、テレビ電話２（１０４）に対して経路１１３経由で発信接続する。
【００１１】
テレビ電話２（１０４）は、ネットワーク１１５からの着信に対してその呼をＡＶ留守録サーバ１９０の回線制御部１０５に転送するようネットワーク１１５に要求し、経路１１６によりネットワーク１１５からの着信呼（テレビ電話１からのコネクション要求）をＡＶ留守録サーバ１９０に転送する。ネットワーク１１５はテレビ電話２（１０４）からの要求により経路１１４を用いてＡＶ留守録サーバ１９０の回線制御部１０５に発信接続する。
ＡＶ留守録サーバ１９０では、回線制御部１０５は着信があったことをシステム制御部１０６に通知し、システム制御部１０６は、受信したデータを多重分離部１０７にて分離し、テレビ電話１（１０１）との接続処理を行い、お互いの通信を確立する（コネクションを設定する）。
通信が確立した後、システム制御部１０６は、データ管理部１０９にアクセスし、留守録応答メッセージの読み出しを要求する。データ管理部１０９は、本要求を受信すると応答メッセージ格納メモリ１１１を検索し、テレビ電話２（１０４）が予め登録した留守録応答メッセージをデータベースより検索する。データ管理部１０９は、データベースより応答メッセージを読み出し、ＣＯＤＥＣ部１０８に送信し、ＣＯＤＥＣ部１０８にてデータを符号化処理する。ＣＯＤＥＣ部１０８で符号化処理されたデータは多重分離部１０７で多重化され回線制御部１０５に渡され、回線制御部１０５よりネットワーク１１５経由でテレビ電話１（１０１）に配信される。
【００１２】
テレビ電話１（１０１）は、テレビ電話２（１０４）の留守録応答メッセージを参照後、映像データと音声データから構成される伝言メッセージを送信する。ＡＶ留守録サーバ１９０では、留守録応答メッセージを送信後、テレビ電話１（１０１）からの伝言メッセージを回線制御部１０５より受信すると、多重分離部１０７にて分離し、ＣＯＤＥＣ部１０８にてデータの複号化を行い、データ管理部１０９に対してデータ蓄積要求を出す。データ管理部１０９では、受信した伝言メッセージを該当のメモリに逐一蓄積する。
【００１３】
テレビ電話１（１０１）は、伝言メッセージを送信した後、回線を切断する。
【００１４】
テレビ電話２（１０４）で留守録の内容を再生する場合は、回線制御部１０２にてＡＶ留守録サーバ１９０の回線制御部１０５に発信接続し、再生要求を行う。
ＡＶ留守録サーバ１９０の回線制御部１０５はシステム制御部１０６に対してテレビ電話２（１０４）からの着信があったことを通知し、システム制御部１０６はテレビ電話２（１０４）からの再生要求に対して、データ管理部１０９にデータ検索を要求する。データ管理部１０９は、ＡＶメッセージ記録メモリ１１０の蓄積データを検索し、該当データを読み出し、ＣＯＤＥＣ部１０８にデータを渡し、ＣＯＤＥＣ部１０８はデータ管理部１０９から受信したデータを符号化し、多重分離部１０７に渡す。多重分離部１０７では、ＣＯＤＥＣ部１０８から受信したデータを多重化し、回線制御部１０５に渡し、回線制御部１０５では、多重化されたデータ（伝言メッセージ）をネットワーク経由でテレビ電話２（１０４）に送信する。テレビ電話２（１０４）では、受信した伝言メッセージを自局のスピーカ及びモニタに表示し、伝言メッセージの参照を行う。
【００１５】
テレビ電話２（１０４）は、伝言メッセージを参照した後、回線を切断する。
【００１６】
以上のように、本実施の形態によれば、ＡＶ留守録機能をテレビ電話機能から分離し、安価なＰＣに実装するように構成したのでテレビ電話自体のコストを上げることなく、ユーザ満足度の高いＡＶ留守録機能を実現することができる。
また、ＡＶ留守録サーバをネットワーク上に配置すれば、複数のユーザで同一サーバを共有して使用できるため、サーバの単価自体も抑えることが可能である。
【００１７】
実施の形態２．
以上の実施の形態１では、テレビ電話に着信呼の自動転送を行う機能を設けたが、相手先電話にＡＶ留守録サーバへ再接続するよう促す応答メッセージをテレビ電話自体に持たせ、相手先テレビ電話が直接、ＡＶ留守録サーバに接続し、伝言を残すようにしても良い。
【００１８】
図２は、本実施の形態に係るＡＶ留守録システムの全体構成例を示す図である。
図２では、図１と比べてテレビ電話２（２０４）に留守録応答メッセージ格納部２１７が追加されている点のみが異なり、他の部分については図１と同じである。
【００１９】
次に動作について説明する。
図２においてテレビ電話２（２０４）を使用しているユーザがマンマシンＩ／Ｆよりテレビ電話２（２０４）を留守録モードに設定する。
【００２０】
本状態でテレビ電話１（２０１）よりテレビ電話２（２０４）に対してコネクション要求が発信されると、コネクション要求は経路２１２を経てネットワーク２１５に要求され、ネットワーク２１５は接続先がテレビ電話２（２０４）であることを認識し、テレビ電話２（２０４）に対して経路２１３経由で発信接続する。
【００２１】
テレビ電話２（２０４）は、ネットワーク２１５からの着信に対して、通信制御を実施し、通信確立後（コネクション設定後）、留守録応答メッセージ格納部２１７から留守録応答メッセージを読み出し、テレビ電話１（２０１）に対して送信する。テレビ電話１（２０１）は、テレビ電話２（２０４）からの留守録応答メッセージを受信した後、テレビ電話２（２０４）との回線を切断する。
なお、留守録応答メッセージは、テレビ電話１（２０１）に対してＡＶ留守録サーバ２９０にアクセスしてＡＶ留守録サーバ２９０に伝言メッセージを送信するよう指示する。このため、留守録応答メッセージは、指示メッセージに相当する。
【００２２】
テレビ電話１（２０１）は、テレビ電話２（２０４）との回線切断後、テレビ電話２（２０４）からの留守録応答メッセージで指示されたＡＶ留守録サーバ２９０へコネクション要求を発信すると、コネクション要求は、経路２１２を経てネットワーク２１５に要求され、ネットワーク２１５は接続先がＡＶ留守録サーバ２９０の回線制御部２０５であることを認識し、回線制御部２０５に対して経路２１４経由で発信接続する。
【００２３】
ＡＶ留守録サーバ２９０では、回線制御部２０５は着信があったことをシステム制御部２０６に通知し、システム制御部２０６は、受信したデータを多重分離部２０７にて分離し、テレビ電話１（２０１）との接続処理を行い、お互いの通信を確立する（コネクションを設定する）。通信が確立した後、データ管理部２０９にアクセスし、留守録応答メッセージの読み出しを要求する。データ管理部２０９は、本要求を受信すると応答メッセージ格納メモリ２１１を検索し、テレビ電話２（２０４）が予め登録した留守録応答メッセージをデータベースより検索する。
データ管理部２０９は、データベースより応答メッセージを読み出し、ＣＯＤＥＣ部２０８に送信し、ＣＯＤＥＣ部２０８にてデータを符号化処理する。ＣＯＤＥＣ部２０８で符号化処理されたデータは多重分離部２０７で多重化され回線制御部２０５に渡され、回線制御部２０５よりネットワーク経由でテレビ電話１（２０１）に配信される。
【００２４】
テレビ電話１（２０１）は、テレビ電話２（２０４）の留守録応答メッセージを参照後、映像データと音声データから構成される伝言を送信する。
ＡＶ留守録サーバ２９０では、留守録応答メッセージを送信後、テレビ電話１（２０１）からの伝言メッセージを回線制御部２０５より受信すると、多重分離部２０７にて分離し、ＣＯＤＥＣ部２０８にてデータの複号化を行い、データ管理部２０９に対してデータ蓄積要求を出す。データ管理部２０９では、受信したデータを該当のメモリに逐一蓄積する。
【００２５】
テレビ電話１（２０１）は、伝言を送信した後、回線を切断する。
【００２６】
テレビ電話２（２０４）で留守録の内容を再生する場合は、回線制御部２０５にてＡＶ留守録サーバ２９０の回線制御部２０５に発信接続し、再生要求を行う。ＡＶ留守録サーバ２９０の回線制御部２０５はシステム制御部２０６に対してテレビ電話２（２０４）からの着信があったことを通知し、システム制御部２０６はテレビ電話２（２０４）からの再生要求に対して、データ管理部２０９にデータ検索を要求する。データ管理部２０９は、ＡＶメッセージ記録メモリ２１０の蓄積データを検索し、該当データを読み出し、ＣＯＤＥＣ部２０８にデータを渡し、ＣＯＤＥＣ部２０８はデータ管理部２０９から受信したデータを符号化し、多重分離部２０７に渡す。多重分離部２０７では、ＣＯＤＥＣ部２０８から受信したデータを多重化し、回線制御部２０５に渡し、回線制御部２０５では、多重化されたデータ（伝言メッセージ）をネットワーク経由でテレビ電話２（２０４）に送信する。テレビ電話２（２０４）では、受信したデータを自局のスピーカ及びモニタに表示し、蓄積データ（留守録データ）の参照を行う。
【００２７】
テレビ電話２（２０４）は、留守録データを参照した後、回線を切断する。
【００２８】
以上のように、本実施の形態によれば、ＡＶ留守録機能をテレビ電話機能から分離し、安価なＰＣに実装するように構成したのでテレビ電話自体のコストを上げることなく、ユーザ満足度の高いＡＶ留守録機能を実現することができる。
また、ＡＶ留守録サーバをネットワーク上に配置すれば、複数のユーザで同一サーバを共有して使用できるため、サーバの単価自体も抑えることが可能である。
【００２９】
実施の形態３．
図３は、本実施の形態に係るＡＶ留守録システムの全体構成例を示す図である。
図３では、実施の形態１及び２のＡＶ留守録サーバの機能の一部をテレビ電話に移管した構成になっている。つまり、図３では、テレビ電話２（３０２）が、システム制御部３０３、回線制御部３０４、多重分離部３０５、ＣＯＤＥＣ部３０６、ＡＶ留守録制御部３０７、映像入力部３０８、音声入力部３０９を有する構成となっている。一方、ＡＶ留守録サーバ３９０では、回線制御部、多重分離部、ＣＯＤＥＣ部を持たず、変わりにビデオキャプチャボード３１３、サウンドボード３１４を有する構成となっている。
【００３０】
次に動作を説明する。
図３においてテレビ電話２（３０２）を使用しているユーザがマンマシンＩ／Ｆよりテレビ電話２（３０２）を留守録モードに設定する。
【００３１】
本状態でテレビ電話１（３０１）よりテレビ電話２（３０２）に対してコネクション要求が発信されると、コネクション要求は経路３１９を経てネットワーク３２１に要求され、ネットワーク３２１は接続先がテレビ電話２（３０２）であることを認識し、テレビ電話２（３０２）に対して経路３２０経由で発信接続する。
【００３２】
テレビ電話２（３０２）の回線制御部３０４は、ネットワーク３２１からのコネクション要求をシステム制御部３０３に通知し、システム制御部３０３は、受信したデータを多重分離部３０５にて分離し、テレビ電話１（３０１）との接続処理を行い、お互いの通信を確立する（コネクションを設定する）。通信が確立した後、システム制御部３０３は、ＡＶ留守録サーバＩ／Ｆケーブル３１０を経由し、ＡＶ留守録サーバ３９０のシステム制御部３１５に応答メッセージの再生要求を行う。
ＡＶ留守録サーバ３９０のシステム制御部３１５は、ＡＶ留守録サーバＩ／Ｆケーブル３１０からの要求に対してデータ管理部３１６に検索指示を出し、データ管理部３１６は、応答メッセージ格納メモリ３１８のデータを読み出し、サウンドボード３１４及びビデオキャプチャボード３１３に対して出力する。データ管理部３１６によって読み出された映像及び音声のデータは、それぞれテレビ電話２（３０２）の映像入力部３０８及び音声入力部３０９に入力され、その入力されたデータは、ＣＯＤＥＣ部３０６によって符号化され、多重分離部３０５によって多重され回線制御部３０４を経由してネットワークに送出される。ネットワークに送出された留守録応答メッセージは、経路３１９経由でテレビ電話１（３０１）に通知され、復号化された後、発信者に通知される。
発信者は、その留守録応答メッセージを参照した後、映像データ及び音声データから構成される伝言メッセージをネットワーク経由で出力する。
テレビ電話１（３０１）から出力されたデータ（伝言メッセージ）は、回線制御部３０４よりテレビ電話２（３０２）に取り込まれ、多重分離部３０５で分離、ＣＯＤＥＣ部３０６で復号化され、映像情報は、映像入力部３０８に取り込まれ、音声データは、音声入力部３０９に取り込まれる。
映像入力部３０８に取り込まれた映像データは、映像Ｉ／Ｆケーブル３１２を経由し、ビデオキャプチャボード３１３に取り込まれ、ビデオキャプチャボード３１３に取り込まれたデータは、データ管理部３１６を経由し、ＡＶメッセージ記録メモリ３１７に格納される。同様に音声入力部３０９に取り込まれた音声データは音声Ｉ／Ｆケーブル３１１経由でサウンドボード３１４に取り込まれる。サウンドボード３１４に取り込まれたデータは、データ管理部３１６を経由し、ＡＶメッセージ記録メモリ３１７に格納される。
【００３３】
テレビ電話１（３０１）は、伝言を送信した後、テレビ電話２（３０２）との回線を切断する。
【００３４】
テレビ電話２（３０２）で留守録の内容を再生する場合は、テレビ電話２（３０２）のマンマシンＩ／Ｆにてユーザが再生要求をするとシステム制御部３０３がＡＶ留守録サーバＩ／Ｆケーブル３１０経由でＡＶ留守録サーバのシステム制御部３１５に蓄積データの再生要求を行う。システム制御部３１５は、システム制御部３０３からの再生要求に対してデータ管理部３１６に対して検索要求を行う。データ管理部３１６は、メモリを検索し、該当データをＡＶメッセージ記録メモリ３１７から読み出し、映像データはビデオキャプチャボード３１３へ、音声データはサウンドボード３１４にそれぞれ渡す。
ビデオキャプチャボード３１３は、データ管理部３１６から受信した映像データを映像Ｉ／Ｆケーブル３１２経由で映像入力部３０８に送信する。サウンドボード３１４は、データ管理部３１６から受信した音声データを音声Ｉ／Ｆケーブル３１１経由で音声入力部３０９に送信する。映像入力部３０８及び音声入力部３０９に取り込まれたデータは、それぞれの出力機器に出力される。
【００３５】
ＡＶ留守録サーバ３９０で直接、留守録データの参照を行う場合は、ＡＶ留守録サーバ３９０のマンマシンＩ／Ｆからの要求をシステム制御部３１５が受信し、要求内容をデータ管理部３１６に検索指示する。データ管理部３１６はメモリを検索し、該当データをＡＶメッセージ記録メモリ３１７から読み出し、映像データはビデオキャプチャボード３１３に音声データはサウンドボード３１４に送信し、ビデオキャプチャボード３１３及びサウンドボード３１４は、受信したデータをＡＶ留守録サーバの外部出力機器に出力する。
【００３６】
なお、以上の説明では、映像データと音声データとから構成される伝言メッセージを対象としていたが、これに限らず、例えば映像データ、音声データ、テキストデータから構成される伝言メッセージであってもよい。
【００３７】
また、以上の説明では、テレビ電話２からの再生要求があった場合にＡＶ留守録サーバがテレビ電話２に伝言メッセージを送信することとしていたが、テレビ電話２からの再生要求がなくてもテレビ電話１からの伝言メッセージ受信から一定時間経過後にテレビ電話２に対して伝言メッセージを送信するようにしてもよい。
【００３８】
このように、実施の形態１〜３に示したＡＶ留守録システムは、テレビ電話が留守録モードの場合に相手先の伝言をネットワーク上に配置した専用のＰＣサーバに蓄積し、再生する場合は、上記専用ＰＣサーバへ接続し、蓄積されたデータを配信するように処理を分散させたことを特徴とする。
このため、テレビ電話自体のコストを上げることなく、ユーザ満足度の高いＡＶ留守録機能を実現することができる。
また、ＡＶ留守録サーバをネットワーク上に配置すれば、複数のユーザで同一サーバを共有して使用できるため、サーバの単価自体も抑えることが可能である。
【００３９】
【発明の効果】
以上のように、本発明によれば、第１の電話装置からの第２の電話装置宛の伝言メッセージをサーバ装置にて記憶し、サーバ装置より第２の電話装置宛の伝言メッセージを第２の電話装置に送信するようにしたので、映像データ及び音声データから構成される伝言メッセージであっても十分に蓄積することができ、電話装置のコストを上げることなく、ユーザ満足度の高いＡＶ留守録機能を実現することができる。
【図面の簡単な説明】
【図１】実施の形態１に係るＡＶ留守録システムの構成例を示すシステム図である。
【図２】実施の形態２に係るＡＶ留守録システムの構成例を示すシステム図である。
【図３】実施の形態３に係るＡＶ留守録システムの構成例を示すシステム図である。
【符号の説明】
１０１  テレビ電話１、１０２  回線制御部、１０３  ＡＶ留守録制御部、１０４  テレビ電話２、１０５  回線制御部、１０６  システム制御部、１０７  多重分離部、１０８  ＣＯＤＥＣ部、１０９  データ管理部、１１０  ＡＶメッセージ記録メモリ、１１１  応答メッセージ格納メモリ、１１２  テレビ電話１からの発信経路、１１３  テレビ電話２への着信経路、１１４  ＡＶ留守録サーバへの発信経路、１１５  ネットワーク、１１６  テレビ電話２からの発信経路、２０１  テレビ電話１  ２０２  回線制御部、２０３  ＡＶ留守録制御部、２０４  テレビ電話２、２０５  回線制御部、２０６  システム制御部、２０７  多重分離部、２０８  ＣＯＤＥＣ部、２０９  データ管理部、２１０  ＡＶメッセージ記録メモリ、２１１  応答メッセージ格納メモリ、２１２  テレビ電話１からの発信経路、２１３  テレビ電話２への着信経路、２１４  ＡＶ留守録サーバへの発信経路、２１５  ネットワーク、２１６  テレビ電話２からの発信経路、２１７  留守録応答メッセージ格納部、３０１  テレビ電話１、３０２  テレビ電話２、３０３  システム制御部、３０４  回線制御部、３０５  多重分離部、３０６  ＣＯＤＥＣ部、３０７  ＡＶ留守録制御部、３０８  映像入力部、３０９  音声入力部、３１０  ＡＶ留守録サーバＩ／Ｆケーブル、３１１  音声Ｉ／Ｆケーブル、３１２  映像Ｉ／Ｆケーブル、３１３  ビデオキャプチャボード、３１４  サウンドボード、３１５  システム制御部、３１６  データ管理部、３１７  ＡＶメッセージ記録メモリ、３１８  応答メッセージ格納メモリ、３１９  テレビ電話１発信経路、３２０  テレビ電話２着信経路、３２１  ネットワーク。
【図１】
2004228893.tif 000003
【図２】
2004228893.tif 000004
【図３】
2004228893.tif 000005